(57)【要約】【課題】記録用紙へ画像を印刷するとき、片面印刷指示、両面印刷指示の混在があっても、印刷効率化を図る。【解決手段】合い紙８０を両面印刷として取り扱う。従って、合い紙８０が先頭で、表面の画像を奇数番目、裏面の画像を偶数番目に、９画像保持領域の間隔をおいてレイアウトする。合い紙８０を含め、全てを両面印刷とすることで、中間転写ベルト３６上の奇数番目の画像保持領域が表面画像、偶数番目の画像保持領域が裏面画像というように、完全に表裏が一定の規則の下で区別されるため、一部目の空き領域を埋めるように、２部目の画像の転写領域をレイアウトすることが可能となる。【選択図】図６
2012042672.tif 000002
【特許請求の範囲】
【請求項１】
画像が記録される記録用紙の１面を１頁と定義し、複数頁分の画像を保持する像保持領域を備えた像保持体と、
この像保持体の各像保持領域に保持された画像を、前記像保持体よりも下流側の記録用紙の画像形成面へ転写する転写手段と、
前記記録用紙の片面へ画像を形成する片面画像形成形態と、前記記録用紙の両面へ画像を形成する両面画像形成形態との何れかの画像形成形態を選択する選択手段と、
前記記録用紙における片面に画像を転写するときの片面用搬送経路、並びに前記記録用紙における両面に画像を転写するときの両面用搬送経路を備え、前記選択された画像形成形態に基づいて搬送経路を選択して搬送する搬送手段と、
前記選択手段の選択結果に基づいて、前記搬送手段による記録用紙の搬送路長を含む予め設定した割り当て条件に従い、前記像保持体の各像保持領域へ、画像を割り当てる画像割当手段と、
前記選択手段で予め定めた一連の処理単位内に、前記片面画像形成形態と両面画像形成形態とが混在して選択された場合に、片面画像形成形態に対応する記録用紙の非画像形成面に擬似画像を形成し、前記片面画像形成形態を前記両面画像形成形態に置き換える置換手段と、
を有する画像形成装置。
【請求項２】
前記片面印刷形態で処理される対象が、前記記録用紙の間に挿入され、少なくとも前記記録用紙に記録された情報群である本文の前後や、当該本文中の仕切りとして適用される合い紙である請求項１記載の画像形成装置。
【請求項３】
画像が記録される記録用紙の１面を１頁と定義し、複数頁分の画像を保持する像保持体の像保持領域に保持された画像を、前記像保持体よりも下流側の記録用紙の画像形成面へ転写する画像転写位置制御プログラムであって、
コンピュータに、
前記記録用紙の片面へ画像を形成する片面画像形成形態と、前記記録用紙の両面へ画像を形成する両面画像形成形態との何れかの画像形成形態を選択し、
前記選択結果に基づいて、記録用紙の搬送路長を含む予め設定した割り当て条件に従い、前記像保持体の各像保持領域へ画像を割り当て、
予め定めた一連の処理単位内に、前記片面画像形成形態と両面画像形成形態とを混在している場合に、片面画像形成形態に対応する記録用紙の非画像形成面に、擬似画像を形成し、片面画像形成形態を両面画像形成形態に置き換える、
ことを実行させる画像転写位置制御プログラム。
【発明の詳細な説明】
【技術分野】
【０００１】
本発明は、画像形成装置、画像転写位置制御プログラムに関する。
【背景技術】
【０００２】
例えば、感光体ドラムに記録とされた画像を、中間転写ベルト上へ複数並べて転写し（一次転写）、その後、各画像を記録用紙を頁単位で転写して（二次転写）、印刷を行う工程において、片面印刷は片面印刷の規則があり、両面印刷は両面印刷の規則があり、両面印刷は奇数領域と偶数領域とで表裏を分類することで、印刷効率化を図っている。
【０００３】
特許文献１には、用紙を片面搬送するか両面搬送するかを用紙が特定方向排出用紙（プレパンチ紙、プレプリント紙、レターヘッド紙等）かどうかで判断することにより生産性を向上させている。
【先行技術文献】
【特許文献】
【０００４】
【特許文献１】特開２００５−１６４７１１号
【発明の概要】
【発明が解決しようとする課題】
【０００５】
本発明は、記録用紙へ画像を印刷するとき、片面印刷指示、両面印刷指示の混在があっても、本構成を有しない場合に比べて、印刷効率化を図ることができる画像形成装置、画像転写位置制御プログラムを得ることが目的である。
【課題を解決するための手段】
【０００６】
請求項１に記載の発明は、画像が記録される記録用紙の１面を１頁と定義し、複数頁分の画像を保持する像保持領域を備えた像保持体と、この像保持体の各像保持領域に保持された画像を、前記像保持体よりも下流側の記録用紙の画像形成面へ転写する転写手段と、前記記録用紙の片面へ画像を形成する片面画像形成形態と、前記記録用紙の両面へ画像を形成する両面画像形成形態との何れかの画像形成形態を選択する選択手段と、前記記録用紙における片面に画像を転写するときの片面用搬送経路、並びに前記記録用紙における両面に画像を転写するときの両面用搬送経路を備え、前記選択された画像形成形態に基づいて搬送経路を選択して搬送する搬送手段と、前記選択手段の選択結果に基づいて、前記搬送手段による記録用紙の搬送路長を含む予め設定した割り当て条件に従い、前記像保持体の各像保持領域へ、画像を割り当てる画像割当手段と、前記選択手段で予め定めた一連の処理単位内に、前記片面画像形成形態と両面画像形成形態とが混在して選択された場合に、片面画像形成形態に対応する記録用紙の非画像形成面に擬似画像を形成し、前記片面画像形成形態を前記両面画像形成形態に置き換える置換手段と、を有している。
【０００７】
請求項２に記載の発明は、前記請求項１に記載の発明において、前記片面印刷形態で処理される対象が、前記記録用紙の間に挿入され、少なくとも前記記録用紙に記録された情報群である本文の前後や、当該本文中の仕切りとして適用される合い紙である。
【０００８】
請求項３に記載の発明は、画像が記録される記録用紙の１面を１頁と定義し、複数頁分の画像を保持する像保持体の像保持領域に保持された画像を、前記像保持体よりも下流側の記録用紙の画像形成面へ転写する画像転写位置制御プログラムであって、コンピュータに、前記記録用紙の片面へ画像を形成する片面画像形成形態と、前記記録用紙の両面へ画像を形成する両面画像形成形態との何れかの画像形成形態を選択し、前記選択結果に基づいて、記録用紙の搬送路長を含む予め設定した割り当て条件に従い、前記像保持体の各像保持領域へ画像を割り当て、予め定めた一連の処理単位内に、前記片面画像形成形態と両面画像形成形態とを混在している場合に、片面画像形成形態に対応する記録用紙の非画像形成面に、擬似画像を形成し、片面画像形成形態を両面画像形成形態に置き換える、ことを実行させる。
【発明の効果】
【０００９】
請求項１、請求項３記載の発明によれば、記録用紙へ画像を印刷するとき、片面印刷指示、両面印刷指示の混在があっても、本構成を有しない場合に比べて、印刷効率化を図ることができる。
【００１０】
請求項２記載の発明によれば、合い紙を両面画像形成形態対照に見せかけることができる。
【図面の簡単な説明】
【００１１】
【図１】（Ａ）は本実施の形態にかかる基幹業務印刷装置の全体外観図、（Ｂ）は基幹業務印刷装置における画像形成部の拡大図、（Ｃ）は画像形成部における転写部の拡大図である。
【図２】本実施の形態にかかる基幹業務印刷装置に搭載された主制御部のハード構成を示すブロック図である。
【図３】合い紙と記録用紙の組み合わせにより生成される複数部の印刷物の正面図である。
【図４】メインコントロール部における、片面／両面に基づく中間転写ベルトへの画像の割当制御のための機能ブロック図である。
【図５】本実施の形態に係る中間転写ベルト３６上に各ページ単位の画像をレイアウトするための画像レイアウト制御ルーチンである。
【図６】片面印刷（合い紙８０）と両面印刷（記録用紙５０）とが混在し、複数部の画像形成処理が実行されるときの中間転写ベルト３６上へ各ページの画像をレイアウトした状態を示し、（Ａ）は本実施の形態の比較例であり、（Ｂ）は本実施の形態である。
【発明を実施するための形態】
【００１２】
図１（Ａ）には、本実施の形態に係る基幹業務用印刷装置１０が示されている。基幹業務用印刷装置１０は、大きく分類して、画像形成部１２、用紙収容部１４、後処理部１６が設けられている。
【００１３】
画像形成部１２は、その筐体１８の上面に当該基幹業務用印刷装置１０の全体を制御する主制御部２０が設けられている。主制御部２０は、タッチパネル式のＵＩ（ユーザーインターフェイス）２２を備えている。
【００１４】
図１（Ｂ）に示される如く、画像形成部１２は筐体１８によって覆われており、前記主制御部２０からの画像情報に応じて発光する光ビームを走査する各色毎の光走査部２４と、光走査部２４によって走査された光ビームを受けて所謂静電潜像が形成される複数色（ＹＭＣＫ）毎の複数の感光体ドラム２６と、感光体ドラム２６上の静電潜像へトナー等の現像剤を供給することで現像する現像部２８と、この現像によって顕像化された画像を記録用紙３０へ転写する転写部３２と、転写した記録用紙３上の画像を定着させる定着部３４とを備えている。
【００１５】
以下、上記一連の工程を、「画像形成処理全般」という。また、以下において、「画像形成処理」を、必要に応じて、「印刷」という場合があるが、これらは広義では同義である。狭義では、「画像形成」が画像形成部１２において画像情報を顕像化することを指し、「印刷」は、一連の処理工程全体を指す場合がある。
【００１６】
前記転写部３２は、中間転写ベルト３６を備えている（図１（Ｃ）参照）。中間転写ベルト３６は、複数のローラに巻き掛けられることで、図１の状態で逆三角形の周回路が形成される。この逆三角形の周回路の底辺（すなち、上方の平面周回路）は、前記複数の感光体ドラム２６と、この感光体ドラム２６と対峙する一次転写ローラ３８との間を通過するようになっている。この感光体ドラム２６と一次転写ローラ２８との対峙位置が一次転写部とされ、各感光体ドラム２６から各色の画像（４画像）が１頁分ずつ同一の領域（図１（Ｃ）の鎖線Ｒ参照）転写される（白黒印刷の場合は、１画像のみ）。
【００１７】
上記構成の画像形成部１２の転写部へ送られる記録用紙３２は、用紙収容部４０に設けられた複数のトレイ４０Ａ、４０Ｂから選択的に持ち出されるようになっている。すなわち、複数のトレイ４０Ａ、４０Ｂには、それぞれサイズの異なる記録用紙５０を収容可能（同一サイズの場合もある）となっており、主制御部２０からの指示に基づく、画像形成部１２からの指示で何れかのトレイ４０Ａ、４０Ｂが選択され、例えば、最上層の記録用紙３２から順番に持ち出すようになっている。
【００１８】
画像形成部１２の下部は、記録用紙３０を搬送する用紙搬送部４２となっており、前記中間転写ベルト３６における逆三角形の周回路の頂点（すなわち、図１の最下位置）と対峙している。
【００１９】
この頂点位置には、用紙搬送部４２を挟むように、二次転写ローラ４４が設けられ、二次転写部とされている。
【００２０】
用紙搬送部４２は、前記用紙収容部４０から記録用紙３０を取り出し、前記二次転写部を通過して、後工程へ送り出す主搬送路と、前記二次転写部を通過して一方の面（表面）に画像形成（印刷）を行った記録用紙３２の表裏面を反転させて、再度、二次転写部へ搬送する反転搬送路とを備えている。
【００２１】
本実施の形態では、反転搬送路を通過して同一の記録用紙３０の表裏面が二次転写部に到達するまでの中間転写ベルト３６上の画像の周期は、９画像保持領域分とされている。例えば、１枚の記録用紙３０の表裏面に画像を形成する場合には、中間転写ベルト３６に、９画像分の画像保持領域の間隔を持って表面と裏面の画像を一次転写部で転写しておくことで、最も効率よく、記録用紙３０の表裏面に画像形成されることになる。
【００２２】
後処理部１６は、例えば、フィニッシャー部とも称され、製本、綴じ、穴あけ、折り等の加工、並びにジョブ単位、部数単位での仕分け処理を実行する。
【００２３】
図２には、主制御部２０による制御を実行するためのハード資源の構成が示されている。主制御部２０は、メインコントロール部５０を含んでいる。メインコントロール部５０は、ＣＰＵ５２、ＲＡＭ５４、ＲＯＭ５６、Ｉ／Ｏ（入出力部）５８、及びこれらを接続するデータバスやコントロールバス等のバス６０を有している。
【００２４】
Ｉ／Ｏ５８には、前記基幹業務用印刷装置１０における搬送系や、画像形成のための走査露光系、現像系等の各処理系を制御し、管理するための印刷制御管理部６２が接続されている。
【００２５】
より詳細には、印刷制御管理部６２には、搬送制御部６４、走査露光制御部６６、現像制御部６８、転写制御部７０、定着制御部７２が接続され、各部の制御を管理している。
【００２６】
印刷制御管理部６２は、Ｉ／Ｏ５８ではなく、直接バス６０に接続された構成であってもよい。
【００２７】
また、Ｉ／Ｏ５８には、ＵＩ（ユーザ・インターフェイス）２２が接続されている。ＵＩ２２は、ユーザーからの入力指示を受け付け、かつユーザーへ画像処理に関する情報を報知する役目を有している。さらに、Ｉ／Ｏ５８には、ハードディスク７４が接続されている。また、Ｉ／Ｏ５８は、Ｉ／Ｆ７６を介して通信回線網７８に接続されている。
【００２８】
ここで、メインコントロール部５０では、ＵＩ２２の操作により、画像形成指示があった場合、まず、記録用紙３０の記録面に対し、片面で画像形成（以下、「片面印刷」という）するか両面で画像形成（以下、「両面印刷」という）するかによって、前記中間転写ベルト３６へ転写する画像の領域を定めるようにしている。
【００２９】
すなわち、片面印刷には片面印刷の規則があり、両面印刷には両面印刷用の規則が定められている。この規則は、それぞれで最も効率よく印刷する行程として設定されている。
【００３０】
片面印刷の規則では、中間転写ベルト３６に一次転写する頁単位の領域を隙間なく利用する。
【００３１】
一方、両面印刷の規則では、用紙搬送部４２の反転搬送路を用いて記録用紙３０の表裏面を反転して二次転写部へ戻すために、９画像分の間隔が必要である。このため、印刷を開始する頁単位の領域を奇数領域と偶数領域とに分類し、奇数領域を表面専用、偶数領域を裏面専用とする。言い換えれば、各頁の表面の画像を１番目の領域から、１つおきの領域に印刷していき、１０番目（１＋９画像保持領域）から、裏面の画像を１つおきの領域に印刷していく（図６参照）。
【００３２】
ところで、上記において１ジョブの中で片面印刷又は両面印刷が統一されている場合はよいが、１ジョブの中で片面印刷と両面印刷が混在している場合がある。例えば、複数部の区切りに合い紙８０（図３参照）を挟み込みながら印刷を行う場合等が該当する。
【００３３】
合い紙は、基本的には、表裏面共印刷せず、別のトレイ（例えば、図１で言えば、用紙収容部１４に設けられた割り込みトレイ１４Ａ）から、１部毎の印刷処理の終了時に、用紙搬送部４２を搬送させるが、規則の上では片面印刷の対象となる。
【００３４】
このような、１ジョブの中で片面印刷（合い紙８０）と、両面印刷（記録用紙）とが混在すると、主制御部２０では、合い紙８０は片面印刷の規則で処理し、記録用紙は両面印刷の規則で処理することになる。
【００３５】
より具体的には、図６（Ａ）に示される如く、まず、１部目の合い紙８０の処理（二次転写部通過）を実行し、これが完了するまでは、片面印刷の規則で中間転写ベルト３０等の搬送が制御される。その後、記録用紙３０の処理（表裏面の二次転写通過）を実行する。次に、２部目の合い紙８０の処理を実行し、これが完了後、記録用紙３０の処理を実行する。
【００３６】
これに対して、本実施の形態では、主制御部２０において、片面印刷と両面印刷とが混在している場合、片面印刷を両面印刷として判断するようにした。すなわち、上記のように、各部の最初に合い紙８０を挿入しながら複数部の両面印刷を実行する場合、合い紙８０に関しても、両面印刷と同等の搬送を行うようにした（図６（Ｂ）参照）。
【００３７】
図４は、メインコントロール部２０における、片面／両面に基づく中間転写ベルト３６への画像の割当制御のための機能ブロック図である。なお、図４は、あくまでも機能別にブロック化したものであり、ハード構成を限定するものではない。
【００３８】
図４に示される如く、ＵＩ２２の操作による画像形成指示は、画像形成情報受付部１００で受け付けられる。また、このＵＩ２２からの画像形成指示に同期して、Ｉ／Ｆ７４を介して通信回線網７８から、或いはＨＤＤ７４から画像情報が画像情報受付部１０２で受け付けられる。
【００３９】
画像情報受付部１０２は、印刷制御管理部６２及び画像情報ページ分割部１０４に接続されている。
【００４０】
印刷制御管理部６２には、所謂イメージデータ、記述言語情報を含む全情報が送出され、画像譲歩ページ分割部１０４には、ページ単位の区切りが認識可能な情報（例えば、記述言語情報の一部）が送出される。
【００４１】
画像情報ページ分割部１０４は、転写領域レイアウト情報設定部１０６に接続され、中間転写ベルト３６上でのページ単位のレイアウトが実行される（詳細後述）。
【００４２】
一方、前記画像形成情報受付部１００には、画像形成形態抽出部１０８が接続され、画像形成情報の中から、画像形成形態（片面印刷又は両面印刷）の指示情報を抽出する。抽出された画像形成形態は、片面／両面混在有無判定部１１０へ送出される。
【００４３】
片面／両面混在有無判定部１１０では、抽出した画像形成形態が単一の形態、すなわち、片面画像形成形態又は両面画像形成形態の何れかであるか、混在しているかを判定する。
【００４４】
この片面／両面混在有無判定部１１０での判定の結果、単一の形態と判定された場合、画像形成形態決定部１１２へ、片面／両面混在有無判定部１１０で判定された画像形成形態（片面画像形成形態又は両面画像形成形態）である情報を送出する。
【００４５】
一方、片面／両面混在有無判定部１１０での判定の結果、混在の形態と判定された場合、擬似画像生成部１１４へ起動信号を送出する。擬似画像生成部１１４では、片面画像形成形態の対象の記録用紙（本実施の形態では、合い紙８０）に対して、擬似的に両面に画像情報を生成し、画像形成形態決定部１１２へ両面画像形成形態である情報を送出する。
【００４６】
画像形成形態決定部１１２は、画像形成ルール読出部１１６へ決定した画像形成形態を送出する。画像形成ルール読出部１１６は、ＲＯＭ５６に接続されている。ＲＯＭ５６には、片面画像形成ルール情報記憶領域５６Ａ及び両面画像形成ルール情報記憶領域５６Ｂが設けられている。
【００４７】
前記画像形成ルール読出部１１６では、前記画像形成形態決定部１１２から受け取った画像形成形態に基づいて、ＲＯＭ５６に記憶されている片面画像形成ルール情報又は両面画像形成ルール情報の何れかを読み出し、当該読み出した画像形成ルール情報を、前記転写領域レイアウト情報設定部１０６へ送出する。
【００４８】
転写領域レイアウト情報設定部１０６では、読み出された画像形成ルールに基づいて、受け付けた画像情報を、ページ単位で、中間転写ベルト３６の画像転写領域にレイアウトするためのレイアウト情報を設定する。
【００４９】
転写領域レイアウト情報設定部１０６は、転写領域レイアウト情報出力部１１８に接続されており、当該転写領域レイアウト情報設定部１０６で設定されたレイアウト情報を印刷制御管理部６２へ送出する。
【００５０】
以下に本実施の形態の作用を説明する。
【００５１】
図５は、本実施の形態に係る中間転写ベルト３６上に各ページ単位の画像をレイアウトするための画像レイアウト制御ルーチンである。
【００５２】
ステップ１５０では、画像形成指示があったか否かが判断され、否定判定された場合は、このルーチンは終了する。
【００５３】
また、ステップ１５０で肯定判定されると、ステップ１５２へ移行して画像情報を受け付け、次いでステップ１５４へ移行して画像形成形態情報を抽出して、ステップ１５６へ移行する。
【００５４】
ステップ１５６では、抽出した画像形成形態情報に基づいて、今回の画像形成指示対象のジョブが、片面印刷又は両面印刷の何れかの単一形態か否かが判断され、肯定判定されると、ステップ１５８へ移行して、画像形成形態を特定する。
【００５５】
また、ステップ１５６で否定判定された場合は、例えば、両面印刷の複数部数の記録用紙３０の各部の仕切りに、合い紙８０が介在させるといった画像形成形態、すなわち、片面印刷対象（合い紙８０）と両面印刷対象（記録用紙３０）とが混在していると判断され、ステップ１６０へ移行する。
【００５６】
ステップ１６０では、合い紙８０を両面印刷の記録用紙３０と同じ搬送をさせるべく、合い紙の裏面に擬似画像を生成し、ステップ１６２へ移行する。
【００５７】
より詳しくは、基本的に、合い紙８０は、表面にも画像を形成しない場合が多いが、搬送形態として片面搬送である。言い換えれば、表面には画像が存在するものとして搬送される。そこで、裏面にも画像があるように見せかけることで、合い紙８０を両面印刷時と同じ搬送路で搬送させるべく、合い紙の裏面に擬似画像を生成する。
【００５８】
また、前記ステップ１５８で特定された画像形成形態が両面印刷の場合はステップ１６２へ移行し、片面印刷の場合はステップ１６４へ移行する。
【００５９】
ステップ１６２では、ＲＯＭ５６の両面画像形成ルール情報記憶領域５６Ｂから、両面画像形成ルール情報を読み出し、ステップ１６６へ移行する。一方、ステップ１６４では、ＲＯＭ５６の片面画像形成ルール情報記憶領域５６Ａから、片面画像形成ルール情報を読み出し、ステップ１６６へ移行する。
【００６０】
ステップ１６６では、中間ベルト３２上の転写領域レイアウト処理が実行される（詳細後述、図６参照）。
【００６１】
次のステップ１６８では、受け付けた画像情報と、前記設定された転写領域レイアウト情報を印刷制御管理部６２へ送出し、このルーチンは終了する。
【００６２】
図６は、片面印刷（合い紙８０）と両面印刷（記録用紙５０）とが混在し、複数部の画像形成処理が実行されるときの中間転写ベルト３６上へ各ページの画像をレイアウトした状態を示し、図６（Ａ）は本実施の形態の比較例であり、図６（Ｂ）は本実施の形態である。
【００６３】
なお、図６において、中間転写ベルト３６上の四角枠はそれぞれ画像保持領域Ｒ（図６では、符号Ｒを省略する）である。
【００６４】
「１合」は１枚目の合紙８０の表面を示し、数字と「表」「裏」の表記（「２表」、「２裏」、「３表」、「３裏」、「４表」、「４裏」）は、製本時の枚数と表面画像又は裏面画像を示す。例えば、「２表」であれば、合紙８０を１枚目としたとき２枚目となる記録用紙３０の表面画像の画像保持領域となる。
【００６５】
さらに、中間転写ベルト３６上に形成される画像保持領域の内、白抜きの画像保持領域は１部目、斜線付の画像保持領域は２部目を示す。
【００６６】
この図６では、３枚の記録用紙５０の表裏面に画像を形成し、２部印刷すると共に各部の先頭に合い紙３０を設ける設定となっている。
【００６７】
図６（Ａ）の比較例では、まず、片面印刷として認識される合い紙８０が片面画像形成ルールの下でレイアウト処理が実行される。
【００６８】
次いで、この合い紙８０がレイアウトされた領域に隣接して、１部目の３枚分（６ページ分）の記録用紙３０が両面画像形成ルールの下でレイウアウト処理が実行される。すなわち、先頭から表面の画像を奇数番目、裏面の画像を偶数番目にレイアウトする。この場合、搬送路長に基づいて、１枚の記録用紙３０の表面画像と裏面画像とは９画像保持領域分の間隔が必要であるため、３枚の記録用紙３０の画像形成を処理するためには、中間転写ベルト３６において、１４個の画像保持領域が必要となる。従って、前記合い紙８０と併せて、１部の画像形成処理に対して、中間転写ベルト３６上では、１５個の画像保持領域が必要となり、２部の場合は単純に２倍（３０画像保持領域）、以後３部は３倍（４５画像保持領域）・・・の画像保持領域が必要となる。
【００６９】
次に、図６（Ｂ）に示す本実施の形態では、合い紙８０を両面印刷として取り扱う。従って、合い紙８０が先頭で、表面の画像を奇数番目、裏面の画像を偶数番目に、９画像保持領域の間隔をおいてレイアウトする。ここまでは、比較例とあまり変わりがない。
【００７０】
しかしながら、合い紙８０を含め、全てを両面印刷とすることで、中間転写ベルト３６上の奇数番目の画像保持領域が表面画像、偶数番目の画像保持領域が裏面画像というように、完全に表裏が一定の規則の下で区別されるため、一部目の空き領域を埋めるように、２部目の画像の転写領域をレイアウトすることが可能となる。
【００７１】
このため、中間転写ベルト３６の転写領域が有効利用されることになり、図６に示すように２部の画像形成においては、６画像保持領域分、生産性が向上する。なお、この場合、部数が増えれば増えるほど、前記比較例との生産性向上率が比例的に高くなる。
【００７２】
なお、本実施の形態では、片面印刷と両面印刷が混在する場合に、片面印刷を両面印刷とするため、疑似画像を生成するようにしたが、これは、合い紙８０と、記録用紙３０の枚数のバランスとして、極めて両面印刷が多いため、一義的に決めたものである。しかし、合い紙に限らず片面印刷と両面印刷とが混在する場合もある。
【００７３】
片面印刷が両面印刷よりも、はるかに多い場合は（例えば、片面印刷が１００枚、両面印刷が１０枚等）、通常どおり、片面印刷は片面画像形成ルールで実行し、両面印刷は両面画像形成ルールで実行する方が作業効率がよい場合もあり得る。
【００７４】
従って、処理前にシミュレーションによって、中間転写ベルト３６上の使用画像保持領域数（周回して重複する場合もあるので、延べ数とする）を演算して比較し、効率の最もよい処理を決定するようにしてもよい。
【符号の説明】
【００７５】
１０    基幹業務用印刷装置
１２    画像形成部
１４    用紙収容部
１６    後処理部
１８    筐体
２０    主制御部
２２    ＵＩ（ユーザーインターフェイス）
２４    光走査部
２６    感光体ドラム
２８    現像部
３０    記録用紙
３２    転写部
３４    定着部
３６    中間転写ベルト
３８    一次転写ローラ
４０    用紙収容部
４０Ａ、４０Ｂ    トレイ
４２    用紙搬送部
５０    メインコントロール部
５２  ＣＰＵ
５４    ＲＡＭ
５６    ＲＯＭ
５６Ａ    片面画像形成ルール情報記憶領域
５６Ｂ    両面画像形成ルール情報記憶領域
５８    Ｉ／Ｏ
６０    バス
６２    印刷制御管理部
６４    搬送制御部
６６    走査露光制御部
６８    現像制御部
７０    転写制御部
７２    定着制御部
７４    ハードディスク
７６    Ｉ／Ｆ
７８    通信回線網
８０    合い紙
１００    画像形成情報受付部
１０２    画像情報受付部
１０４    画像情報ページ分割部
１０６    転写領域レイアウト情報設定部
１０８    画像形成形態抽出部
１１０    片面／両面混在有無判定部
１１２    画像形成形態決定部
１１４    擬似画像生成部
１１６    画像形成ルール読出部
１１８    転写領域レイアウト情報出力部
Ｒ    画像保持領域
【図１】
2012042672.tif 000003
【図２】
2012042672.tif 000004
【図３】
2012042672.tif 000005
【図４】
2012042672.tif 000006
【図５】
2012042672.tif 000007
【図６】
2012042672.tif 000008